(57)【要約】【課題】  配膳車内における食品や食材の品質低下を確実に抑制しつつ、食材の加熱調理や食品の再加熱を行って、喫食者の食事満足度を向上させるようにする。【手段】  内部にカート収容室４が形成され、カート収容室４内に冷却装置５および蒸気装置６が設けられた配膳車本体２と、前記カート収容室４内に収容され、内部にトレイＴが多段に配置されるトレイ収容室４０を有するカート３とを有する配膳車を用いた給食方法であって、トレイ収容室４０内のトレイＴ上の食材や調理済みの食品を入れた食器を前記トレイＴ上に載置し、前記蒸気装置６から蒸気を導入して加熱する第一蒸気加熱ステップと、第一蒸気加熱ステップ後に前記冷却装置からトレイ収容室内に冷気を導入する冷蔵冷凍ステップと、冷蔵冷凍ステップ後に前記蒸気装置から再び水蒸気を導入して再加熱を行う第二蒸気加熱ステップを有する。【選択図】  図６
2020081365.tif 000002
【特許請求の範囲】
【請求項１】
トレイを多段に収容するトレイ収容室と、トレイ収容室内に水蒸気を供給する蒸気装置と、トレイ収容室内に冷気を供給する冷却装置を有する配膳車による給食方法であって、野菜、肉類等の加熱調理されていない食材および／または調理済みの食品を入れた食器を前記トレイ上に載置し、該トレイを前記トレイ収容室に多段に収容した後、該トレイ収容室内に前記蒸気装置から蒸気を導入して前記食材および／または前記食品を加熱する第一蒸気加熱ステップと、第一蒸気加熱ステップ後に前記冷却装置からトレイ収容室内に冷気を導入して前記食材および／または前記食品を冷蔵または冷凍する冷蔵冷凍ステップと、冷蔵冷凍ステップ後に前記蒸気装置からトレイ収容室内に再び水蒸気を導入して前記食材の加熱調理および／または前記食品の再加熱を行う第二蒸気加熱ステップを有する、配膳車による給食方法。
【請求項２】
第一蒸気加熱ステップでの温度範囲を５０〜１１０℃とすることを特徴とする、請求項１記載の配膳車による給食方法。
【請求項３】
第二加熱蒸気ステップでの温度範囲を９０℃〜２５０℃とすることを特徴とする、請求項１または請求項２記載の配膳車による給食方法。
【請求項４】
第一蒸気加熱ステップの後の冷蔵冷凍ステップで急速冷却または急速冷凍を行うことを特徴とする、請求項１〜請求項３のうちのいずれか一項記載の配膳車による給食方法。
【請求項５】
配膳車が、蒸気装置および冷却装置を有し且つ内部にカート収容室が設けられた配膳車本体と、前記カート収容室に収容され、且つ前記トレイ収容室を有する一または複数のカートとで構成されており、カート収容室内に収容されたカートのトレイ収容室に前記蒸気装置から水蒸気が導入され、前記冷却装置から冷気が導入されるようになされており、第二蒸気加熱ステップ後に前記カートを配膳車本体のカート収容室から出して、カートだけを配膳場所まで移動させることを特徴とする、請求項１〜請求項４のうちのいずれか一項記載の配膳車による給食方法。
【発明の詳細な説明】
【技術分野】
【０００１】
本発明は、病院や介護施設等において、患者や入所者等（以下、「喫食者」という）に食事を提供する際に使用される配膳車を用いた給食方法に関する。
【背景技術】
【０００２】
一般的に、病院や介護施設等では、配膳車を使用して食事を提供する場合、予め調理した主菜、副菜等の食品を所定の食器に入れてトレイに載置し、該トレイを配膳車のトレイ収容室内に多段に収容した後、配膳時刻に合わせて、前記各トレイ上の食品を配膳車の冷却装置を使って冷蔵保存しておき、配膳にあたって、温かい状態で食べる食品については、配膳車における電熱ヒータ等の加熱装置を使用して温めた後、各喫食者に対してトレイごと配膳される。
【０００３】
また、配膳車を用いた他の食事提供方法としては、トレイに載せた所定の食器に調理済みの各食品を盛り付けて一人分の配膳盆を準備し、該配膳盆を配膳車内に所定数収容して最終的に喫食者に提供する配膳方法において、 前記トレイの所定位置に載せられた食器の各々を加熱する加熱手段と、前記トレイの各々に取り付けられ、喫食者ごとの食材、味付けおよび量を含む料理情報を記憶させた記憶媒体と、該記録媒体における前記料理情報を読み取る読取手段と、読み取った料理情報に付随する加熱開始時刻、加熱時間及び加熱温度に基づいて前記加熱手段を制御する制御手段とを有する配膳体に、喫食者ごとに準備した前記配膳盆を収容して、冷却保存を行い、予め設定された時刻に前記加熱手段を作動させて、最終的に配膳開始時刻に前記配膳体から再加熱済の前記配膳盆を取り出して喫食者各人に配膳する料理の配膳方法も知られている。
【先行技術文献】
【特許文献】
【０００４】
【特許文献１】特開平１１−３０９０２５号公報
【特許文献２】特開２０１３−２２３２７号公報
【発明の概要】
【発明が解決しようとする課題】
【０００５】
前述した配膳車を用いた食事提供方法は、要するに、トレイに載置した所定の食器に、食品や食材を入れて、該トレイを配膳車内に収容した後、該配膳車内で単に冷蔵による食品や食材の保存と、配膳にあたっての加熱手段による前記食品等の加熱によって、食事を提供するものであった。
【０００６】
しかしながら、前述した食事の提供においては、喫食者ごとのメニューやレシピに基づいて、各人の配膳盆等が用意されるものの、配膳車での食品や食材の変色や乾燥その他の品質の低下・劣化を有効に抑制することができなかった。そのため、配膳作業に前述したような手間と時間をかけたにもかかわらず、喫食者の十分な食事満足度を得難いという問題があった。
【０００７】
本発明の目的は、配膳車内における食品や食材の品質低下を確実に抑制して、喫食者の食事満足度を向上させることができる配膳車を用いた給食方法を提供することにある。
【課題を解決するための手段】
【０００８】
請求項１記載の本発明は、トレイを多段に収容するトレイ収容室と、トレイ収容室内に水蒸気を供給する蒸気装置と、トレイ収容室内に冷気を供給する冷却装置を有する配膳車による給食方法であって、野菜、肉類等の加熱調理されていない食材および／または調理済みの食品を入れた食器を前記トレイ上に載置し、該トレイを前記トレイ収容室に多段に収容した後、該トレイ収容室内に前記蒸気装置から蒸気を導入して前記食材および／または前記食品を加熱する第一蒸気加熱ステップと、第一蒸気加熱ステップ後に前記冷却装置からトレイ収容室内に冷気を導入して前記食材および／または前記食品を冷蔵または冷凍する冷蔵冷凍ステップと、冷蔵冷凍ステップ後に前記蒸気装置からトレイ収容室内に再び水蒸気を導入して前記食材の加熱調理および／または前記食品の再加熱を行う第二蒸気加熱ステップを有する。
【０００９】
本発明において、「蒸気」とは飽和水蒸気や過熱水蒸気等の広い温度範囲の蒸気が含まれる。
【００１０】
第一蒸気加熱ステップは、種々の目的で、後の第二蒸気加熱ステップの前段階として行われ、例えば、野菜の褐変現象等の品質劣化の防止や食材の乾燥や酵素活性防止、食材および食品の型崩れ防止（咀嚼機能低下した老人等用）、食品の熟成、冷却・冷凍耐性の向上、ブランチング効果および食感の向上等の目的で行うものであり、そして、これら目的に合わせて前記水蒸気の設定温度を適宜変更する。
【００１１】
請求項２記載の本発明は、前記請求項１記載の配膳車による給食方法について、第一蒸気加熱ステップでの温度範囲を５０〜１１０℃とすることを特徴とする。
【００１２】
請求項３記載の本発明は、前記請求項１または請求項２記載の配膳車による給食方法について、第二蒸気加熱ステップでの温度範囲を９０℃〜２５０℃とすることを特徴とする。
【００１３】
すなわち、前記のような温度範囲とすることで、食品の再加熱から未調理の食材の加熱調理までを幅広く実施するのである。
【００１４】
請求項４記載の本発明は、前記請求項１〜請求項３のうちのいずれか一項記載の配膳車による給食方法について、第一蒸気加熱ステップの後の冷蔵冷凍ステップで急速冷却または急速冷凍を行うことを特徴とする。
【００１５】
前記急速冷却では、約９０〜１００℃程度の食材および／または食品を、菌が発生し易い６０〜２０℃の温度帯を高速で通過して、前記食材および／または食品の芯温を１０〜３℃程度まで急速に低下させる。
【００１６】
請求項５記載の本発明は、請求項１〜請求項４のうちのいずれか一項記載の配膳車による給食方法について、配膳車が、蒸気装置および冷却装置を有し且つ内部にカート収容室が設けられた配膳車本体と、前記カート収容室に収容され、且つ前記トレイ収容室を有する一または複数のカートとで構成されており、カート収容室内に収容されたカートのトレイ収容室に前記蒸気装置から水蒸気が導入され、前記冷却装置から冷気が導入されるようになされており、第二蒸気加熱ステップ後に前記カートを配膳車本体のカート収容室から出して、カートだけを配膳場所まで移動させることを特徴とする。
【００１７】
なお、前述した本発明に係る給食方法において、トレイの食器に入れられるものは、加熱調理されていない未調理の食材と既に調理済みの食品のいずれか、或いは両方が混在する場合もある。
【発明の効果】
【００１８】
本発明の請求項１記載の配膳車による給食方法は、前述した通り、トレイを多段に収容するトレイ収容室と、トレイ収容室内に水蒸気を供給する蒸気装置と、トレイ収容室内に冷気を供給する冷却装置を有する配膳車による給食方法であって、野菜、肉類等の加熱調理されていない食材および／または調理済みの食品を入れた食器を前記トレイ上に載置し、該トレイを前記トレイ収容室に多段に収容した後、該トレイ収容室内に前記蒸気装置から水蒸気を導入して前記食材および／または上記食品を加熱する第一蒸気加熱ステップと、第一蒸気加熱ステップ後に前記冷却装置からトレイ室内に冷気を導入して前記食材および／または食品を冷蔵または冷凍する冷蔵冷凍ステップと、冷蔵冷凍ステップ後に前記蒸気装置からトレイ収容室内に再び水蒸気を導入して前記食材の加熱調理および／または前記食品の再加熱を行う第二蒸気加熱ステップを有する。そのため、本発明によれば、食材または食品を第一蒸気加熱ステップと第二蒸気加熱ステップの二段階の水蒸気による加熱よって、目的に応じた食材や食品の多様な調理や再加熱を可能とし、最終的により細かな対応の給食を効率的に行うことで、喫食者の食事満足度を向上させると共に、食中毒の防止等の給食の安全性をも高めることができる。
【００１９】
また、第一蒸気加熱ステップでの温度範囲を５０〜１１０℃とする請求項２記載の本発明に係る給食方法によれば、所謂、ブランチングによる野菜等の食材の品質低下や形崩れ等を有効に防止することができ、且つ後の第二蒸気加熱ステップでの最終な加熱処理の前段加熱となり得るため、一回の蒸気加熱のような急激な加熱処理が回避され、その結果、各種食品や各種食材の品質や形態保持、或いは食感の向上を図ることが可能となる。
【００２０】
第二蒸気加熱ステップでの温度範囲を９０℃〜２５０℃とする請求項３記載の本発明に係る給食方法によれば、食材については、完全な加熱調理が完了し、食品については、最終な適温での加温状態の食品提供が行え、目的に合わせた多様な給食が実行できる。
【００２１】
第一蒸気加熱ステップの後の冷蔵冷凍ステップで急速冷却または急速冷凍を行うことを特徴とする請求項４記載の本発明に係る給食方法によれば、第一蒸気加熱ステップ後の食材や食品を急速に冷却または冷凍することで、前記第一蒸気加熱ステップ後の食品等の品質低下や菌の発生を有効に防止して次の第二蒸気加熱ステップへつなげることが可能となる。
【図面の簡単な説明】
【００２２】
【図１】本発明の実施形態に係る配膳車の正面図である。
【図２】同配膳車における配膳車本体とカートを示す正面図である。
【図３】配膳車本体におけるカート収容室の内部を示す正面図である。
【図４】配膳車の内部構造を示す断面図である。
【図５】同実施形態におけるカートの正面図である。
【図６】本発明の給食方法の各ステップを示すフローチャートである。
【図７】実施形態に係る給食方法における温度推移の一例の示すグラフである。
【発明を実施するための形態】
【００２３】
次に、本発明の実施形態を図面にしたがって説明するが、本発明はかかる実施形態に限定されるものではない。また、「水蒸気」は、設定温度によって、飽和水蒸気であったり、未飽和の水蒸気であったり、或いは過熱水蒸気（過熱蒸気）の場合もある。
【００２４】
先ず、図１〜図５に示すように、本発明の調理給食方法に使用する配膳車の構造について説明すると、配膳車１は、内部にカート収容室４が形成され、カート収容室４内に冷気を送入する冷却装置５および水蒸気を送入する蒸気装置６が設けられた配膳車本体２と、前記カート収容室４内に収容され、内部にトレイＴが多段に配置されるトレイ収容室４０を有するカート３とを有している。
【００２５】
配膳車本体２のカート収容室４は、上下壁７・８と左右壁９・１１と後壁１２と前側に形成されたカート出入口部１０を備え、カート出入口部１０の両側縁には左右一対の本体扉１３が取り付けられている。またカート収容室４の下壁８の外面四隅にはキャスター１４と脚体３０がそれぞれ取り付けられており、下壁８における左右壁９・１１寄り部分にはカート３のキャスター１６が進入するキャスター進入用開口部１７が所定間隔をあけて形成されている。
【００２６】
本実施形態に係るカート収容型配膳車１は、要するに、その配膳車本体２のカート収容室４内に、トレイＴを多段に配置したカート３全体がそのまま収容され、カート出入口部１０の本体扉１３を閉めて、冷却装置５および蒸気装置６により、カート３内の各トレイＴ上に載せられた食器内の食品や食材を冷蔵したり、加熱したりするものである。
【００２７】
カート３は、内部がトレイ収容室４０となされたものであって、上下壁３ａ・３ｂと、左右壁３ｃ・３ｄと、配膳車本体２の冷却装置５からの冷気および蒸気装置６からの水蒸気が流入する連通開口部３ｅと、トレイＴが出し入れされるトレイ出入口部３ｆと、トレイ出入口部３ｆおよび連通開口部３ｅを開閉する左右一対のカート扉１４Ａ・１４Ｂを備えている。
【００２８】
図２に示すように、カート３内の幅中央部分には、前後方向に伸びる多数の仕切壁部材１５が上下方向に列設され、上下に隣り合う仕切壁部材１５間のトレイ通路にトレイＴが差し込まれて該トレイＴが各仕切壁部材１５間に挟み止められる。
【００２９】
なお、図中１６は前記の通り、カート３の下壁３ｂの外面四隅に取り付けられたキャスターを示す。
【００３０】
図３に示すように、配膳車本体２のカート収容室４の後壁１２において、その左寄り部分には上下方向に多数の蒸気噴出口１９が列設され、また最下部の蒸気噴出口１９から内方には外形が円形の蒸気吸込口２１が形成されており、また後壁１２における蒸気吸込口２１の上方には多数の冷気噴出口２２Ａと多数の冷気吸入口２３Ａとが上下方向にそれぞれ二列で列設され、更にそれらの右側にも多数の冷気噴出口２２Ｂと多数の冷気吸入口２３Ｂとが上下方向にそれぞれ列設されている。
【００３１】
配膳車本体２のカート収容室４の後壁１２は、二枚の扉５２Ａ・５２Ｂによって構成されている。
【００３２】
そして、図４に示すように、カート収容室４の後壁１２の後側には、水蒸気や冷気が通る個別のダクト２７が設けられている。
【００３３】
また、前記ダクト２７内には、水蒸気を加熱するための加熱コイル（図示せず）が配置されており、これによって、水蒸気が過熱蒸気となる。
【００３４】
図６に示すように、本発明に係る給食方法は、前述した実施形態の配膳車１を用いて後述するようなステップで給食を行うものである。
【００３５】
すなわち、野菜、肉類等の加熱調理されていない食材および／または調理済みの食品を入れた食器を前記トレイＴ上に載置し、該トレイＴを前記トレイ収容室４０に多段に収容した後、該トレイ収容室４０内に前記蒸気装置６から蒸気を導入して前記食材および／または前記食品を加熱する第一蒸気加熱ステップ（Ｓ６００１）と、第一蒸気加熱ステップ（Ｓ６００１）後に前記冷却装置５からトレイ室収容室４０内に冷気を導入して前記食材および／または食品を冷蔵または冷凍する冷蔵冷凍ステップ（Ｓ６００２）と、冷蔵冷凍ステップ（Ｓ６００２）後に前記蒸気装置６からトレイ収容室４０内に再び水蒸気を導入して前記食材の加熱調理および／または前記食品の再加熱を行う第二蒸気加熱ステップ（Ｓ６００３）を有する。
【００３６】
そして、前記第一蒸気加熱ステップ（Ｓ６００１）では、温度範囲を５０〜１１０℃とし、前記第二蒸気加熱ステップ（Ｓ６００３）では、温度範囲を９０℃〜２５０℃とする。
【００３７】
また、図７に示すように、より詳細な温度設定の一例としては、例えば、給食のメニューに含まれている野菜等の食材について、予め冷凍状態のものを前記トレイＴ上の食器に入れて、前記第一蒸気加熱ステップ（Ｓ６００１）でカート３のトレイ収容室４０内の温度を１００℃付近で約数分〜１０分程度維持することにより、野菜等が解凍され、該解凍時のドリップの流出が抑制され、野菜の鮮度が保持される。そして、冷蔵冷凍ステップ（Ｓ６００２）では３０分での急速冷却によって、前記１００℃付近から菌が発生し易い６０〜２０℃の温度帯を高速で通過して、前記食材および／または食品の芯温を１０〜３℃程度まで急速に温度低下させる。このような温度処理によって、野菜等が品質劣化することなく、鮮度が保持されたままの状態となる。
【００３８】
なお、前記冷蔵冷凍ステップ（Ｓ６００２）では、冷却温度および冷却時間によっては、食材や食品がチルド状態となったり、パーシャルフリージング状態となる場合もある。
【００３９】
そして、最終的に第二蒸気加熱ステップ（Ｓ６００３）で３０〜４０分間で約１００〜２００℃程度まで温度上昇させることで、カート３内のトレイ収容室４０に配置されたトレイＴの食器内の食材等を調理や再加熱するのである。
【産業上の利用可能性】
【００４０】
本発明に係る配膳車による給食方法は、前述した通り、所定温度および所定時間を適宜設定して第一蒸気加熱ステップ、冷却冷凍ステップおよび第二蒸気加熱ステップによって、食材や食品を喫食者のメニューに合わせて適切に調理・再加熱でき、その結果、喫食者の食事満足度を大幅に向上させ得るため、配膳車を使用する給食の分野において幅広い利用が期待できる。
【符号の説明】
【００４１】
１  配膳車
２  配膳車本体
３  カート
４  カート収容室
５  冷却装置
６  蒸気装置
Ｔ  トレイ
Ｓ６００１  第一蒸気加熱ステップ
Ｓ６００２  冷却冷凍ステップ
Ｓ６００３  第二蒸気加熱ステップ
【図１】
2020081365.tif 000003
【図２】
2020081365.tif 000004
【図３】
2020081365.tif 000005
【図４】
2020081365.tif 000006
【図５】
2020081365.tif 000007
【図６】
2020081365.tif 000008
【図７】
2020081365.tif 000009